(57)【特許請求の範囲】
【請求項１】
第１カード、またはこの第１カードより長さの短い第２カードを装着可能なカード装着部が形成されたハウジングと、前記カード装着部に挿入される前記第１、または第２カードと共にスライド移動可能なスライド部材と、このスライド部材に支持されて前記カード装着部に挿入される前記第２カードの前端部が当接可能なストッパ部材とを備え、
前記ハウジングには、前記カード装着部に挿入時の前記第１、または第２カードがスライドするカード挿入経路が形成され、
前記スライド部材には、前記第１、または第２カードの挿入方向と直交する方向に長孔状のスライド溝が貫通形成され、
前記ストッパ部材は、裏面に前記スライド溝に嵌合して前記スライド溝に沿ってスライド可能な位置決めピンが形成され、前記スライド部材に支持されて前記第１、または第２カードの挿入方向と直交する方向にスライド可能になっており、
前記第１カードを前記カード装着部に装着時の前記ストッパ部材は、前記カード挿入経路から外れた退避部に退避可能になっており、前記第２カードを前記カード装着部に装着時の前記ストッパ部材は、前記カード挿入経路に位置して前記カード挿入経路に挿入される前記第２カードの前端部に当接することを特徴とするカード用コネクタ装置。
【請求項２】
前記ストッパ部材は、前記スライド部材に回動自在に支持されたアーム部材に連結され、前記カード装着部に装着時の前記第１カードによって前記アーム部材が前記退避部側に押圧されて前記退避部に退避可能になっていることを特徴とする請求項１記載のカード用コネクタ装置。
【請求項３】
前記アーム部材には、前記ストッパ部材を支持する一方側に長孔状の連結孔が形成されると共に、他方側の回動支持部が前記スライド部材に支持され、前記回動支持部を支点として前記アーム部材が回動することで前記ストッパ部材が前記直交する方向にスライド可能になっていることを特徴とする請求項２記載のカード用コネクタ装置。
【請求項４】
前記ストッパ部材には、前記連結孔に係合して連結孔に沿ってスライド可能な支持ピンが形成され、前記スライド部材は、前記スライド溝に前記ストッパ部材の位置決めピンを嵌合させると共に、前記ストッパ部材の支持ピンに前記連結孔を係合させていることを特徴とする請求項３記載のカード用コネクタ装置。
【請求項５】
前記スライド部材に支持した前記アーム部材の前記回動支持部には、前記ストッパ部材を支持する一方側を前記カード挿入経路側に付勢する捻りコイルバネが配設されていることを特徴とする請求項３、または４記載のカード用コネクタ装置。
【請求項６】
前記スライド部材には、前記第２カードが当接した時の前記ストッパ部材のカード挿入方向への動きを規制するための規制部が形成され、この規制部で前記第１カードの逆挿入を防止するようにしたことを特徴とする請求項１乃至５のいずれか１項に記載のカード用コネクタ装置。
【発明の詳細な説明】
【技術分野】
【０００１】
本発明はカード用コネクタ装置に係わり、種類の異なるカードのそれぞれを所定のカード装着部に装着可能なカード用コネクタ装置に関する。
【背景技術】
【０００２】
従来のカード用コネクタ装置を、例えば特許文献１に記載のもので説明すると、従来のカード用コネクタ装置は、図１４〜図１６に示すように、第１カード５１と、この第１カード５１より長さが短い第２カード５２とを挿入口５３ａから挿入して装着可能なハウジング５３が配設されている。
このハウジング５３内部には、圧縮コイルバネ５４の付勢力によって、排出方向に付勢されたスライド部材５５が図１４に示すような初期位置に位置して配設されている。
前記スライド部材５５には、縦長状の係合部材５６が配設され、この係合部材５６は、一方側に形成した支持軸５６ａが、スライド部材５５に嵌合支持されている。そして、支持軸５６ａ近傍にバネ受け部５６ｂが形成され、このバネ受け部５６ｂを圧縮コイルバネ５３が付勢することで、係合部材５６の他方側が、支持軸５６ａを支点として反時計回り方向に付勢されている。
また、係合部材５６の他方側には、第２カード５２を位置決めするための第１、第２位置決め突起５６ｃ、５６ｄが所定の間隔で形成されている。
【０００３】
そして、図１４に示すように、第２カード５２を挿入口３ａからハウジング５３内部に挿入すると、第２カード５２の左コーナ部５２ｂ寄りの前端部５２ａが係合部材５６の第１突起５６ｃに当接すると共に、側面５２ｃが第２位置決め突起５６ｄに当接する。
このことにより、挿入された第２カード５２により、スライド部材５５は、係合部材５６を介して圧縮コイルバネ５４の付勢力に抗して奥側に押し込まれる。
そして、スライド部材５５の当接部５５ｂがハウジング５３の奥壁５３ｂに当接後、第２カード５２に加えていた挿入力を解除する。すると、圧縮コイルバネ５４の付勢力でスライド部材５５が若干排出方向に戻されるが、図１５に示すように、カムピン５７の作用でスライド部材５５が所定位置でロックされて、第２カード５２が第２カード装着部に位置して抜け止めされる。
【０００４】
また、第２カード５２に換えて第１カード５１を挿入口５３ａから挿入すると、図１６に示すように、前端部５１ａの左コーナ部に形成した傾斜部５１ｂによって、係合部材５６の第１位置決め突起５６ｃが左方向に押圧され、係合部材５６が、圧縮コイルバネ５４の付勢力に抗して、支持部５６ａを支点として時計回り方向に回動する。このことにより、係合部材５６は、第１、第２突起５６ｃ、５６ｄを形成した側が退避部５５ａに位置する。
そして、第１カード５１の前端部５１ａがスライド部材５５の当接部５５ｂに当接して、スライド部材５５が第１カード５１と共に奥側に押し込まれて、スライド部材５５の当接部５５ｂがハウジング５３の奥壁５３ｂに当接する。
その後、第１カード５１に加えていた挿入力を解除すると、圧縮コイルバネ５４の付勢力でスライド部材５５が若干排出方向に戻されるが、第２カード５２の挿入時と同様に、スライド部材５５が所定位置でロックされて、第１カード５１が第１カード装着部に位置して抜け止めされる。
【０００５】
また、特許文献１記載のその他の実施の形態として、図示を省略するが、フック状の係合レバーをスライド部材５５に捻りコイルバネでカード挿入ルート側に弾性付勢している。
そして、第１カード５１挿入時は、係合レバーが捻りコイルバネの付勢力に抗してカード挿入経路から退避するようになっている。また、第２カード５２挿入時は、第２カード５２の左コーナ部５２ｂ寄りの前端部５２ａが、捻りコイルバネの付勢力でカード挿入ルートに位置している係合レバーのフック部に当接することで、スライド部材５５がハウジングの奥側にスライドするものが開示されている。
【特許文献１】特開２００５−１９０９８４号公報
【発明の開示】
【発明が解決しようとする課題】
【０００６】
しかし、従来のカード用コネクタ装置は、挿入口５３ａから挿入する第２カード５２の前端部５２ａが、係合部材５６の第１位置決め突起５６ｃに繰り返し加わるために、第１突起５６ｃが破壊するおそれがあった。また、スライド部材５５に係合部材５６を支持している支持軸５６ａにガタ等が発生して、挿入して装着した第２カード５２の位置がバラツクおそれがあった。
また、その他の実施の形態においては、第２カード５２の左コーナ部５２ｃ寄りの前端部５２ａが係合レバーのフック部に当接した時に、係合レバーが捻りコイルバネの付勢力に抗して退避部５５ａ側に回動して、第２カード装着部に装着した第２カードが位置ズレするおそれがあった。
本発明は、前述したような課題を解決するためになされたもので、第２カードをカード装着部に繰り返し挿入しても、第２カードを確実にカード装着部に位置ズレすることなく装着することができるカード用コネクタ装置を提供することを目的とする。
【課題を解決するための手段】
【０００７】
前記課題を解決するための第１の手段として本発明のカード用コネクタ装置は、
第１カード、またはこの第１カードより長さの短い第２カードを装着可能なカード装着部が形成されたハウジングと、前記カード装着部に挿入される前記第１、または第２カードと共にスライド移動可能なスライド部材と、このスライド部材に支持されて前記カード装着部に挿入される前記第２カードの前端部が当接可能なストッパ部材とを備え、前記ハウジングには、前記カード装着部に挿入時の前記第１、または第２カードがスライドするカード挿入経路が形成され、前記スライド部材には、前記第１、または第２カードの挿入方向と直交する方向に長孔状のスライド溝が貫通形成され、前記ストッパ部材は、裏面に前記スライド溝に嵌合して前記スライド溝に沿ってスライド可能な位置決めピンが形成され、前記スライド部材に支持されて前記第１、または第２カードの挿入方向と直交する方向にスライド可能になっており、
前記第１カードを前記カード装着部に装着時の前記ストッパ部材は、前記カード挿入経路から外れた退避部に退避可能になっており、前記第２カードを前記カード装着部に装着時の前記ストッパ部材は、前記カード挿入経路に位置して前記カード挿入経路に挿入される前記第２カードの前端部に当接することを特徴とする。
また、前記課題を解決するための第２の手段として、前記ストッパ部材は、前記スライド部材に回動自在に支持されたアーム部材に連結され、前記カード装着部に装着時の前記第１カードによって前記アーム部材が前記退避部側に押圧されて前記退避部に退避可能になっていることを特徴とする。
【０００８】
また、前記課題を解決するための第３の手段として、前記スライド部材には、前記第２カードが当接した時の前記ストッパ部材のカード挿入方向への動きを規制するための規制部が形成され、この規制部で前記第１カードの逆挿入を防止するようにしたことを特徴とする。
【０００９】
また、前記課題を解決するための第４の手段として、前記アーム部材には、前記ストッパ部材を支持する一方側に長孔状の連結孔が形成されると共に、他方側の回動支持部が前記スライド部材に支持され、前記回動支持部を支点として前記アーム部材が回動することで前記ストッパ部材が前記直交する方向にスライド可能になっていることを特徴とする。
また、前記課題を解決するための第５の手段として、前記ストッパ部材には、前記連結孔に係合して連結孔に沿ってスライド可能な支持ピンが形成され、前記スライド部材は、前記スライド溝に前記ストッパ部材の位置決めピンを嵌合させると共に、前記ストッパ部材の支持ピンに前記連結孔を係合させていることを特徴とする。
また、前記課題を解決するための第６の手段として、前記スライド部材に支持した前記アーム部材の前記回動支持部には、前記ストッパ部材を支持する一方側を前記カード挿入経路側に付勢する捻りコイルバネが配設されていることを特徴とする。
【発明の効果】
【００１０】
本発明に係わるストッパ部材は、スライド部材に支持されて第１、または第２カードの挿入方向と直交する方向にスライド可能になっており、第１カードをカード装着部に装着時のストッパ部材は、カード挿入経路から外れた退避部に退避可能になっており、第２カードをカード装着部に装着時のストッパ部材８は、カード挿入経路に位置してカード挿入経路に挿入される第２カードの前端部がストッパ部材に当接するので、ストッパ部材が支持部材に支持されているので、カード挿入経路に挿入した第２カードがストッパ部材に繰り返し当接しても、ストッパ部材がガタ付くことがない。そのために、カード装着部に装着した第２カードが位置ズレすることがない。
また、ストッパ部材は、スライド部材に回動自在に支持されたアーム部材に連結され、カード装着部に装着時の第１カードによってアーム部材が退避部側に押圧されて退避部に退避可能になっているので、長さの異なる第１、または第２カードを、１つのハウジング内部に形成したそれぞれのカード装着部に確実に装着することができる。
【００１１】
また、スライド部材には、第２カードが当接した時のストッパ部材のカード挿入方向への動きを規制するための規制部が形成され、この規制部で第１カードの逆挿入を防止するようにしたので、部品点数を増やすことなく第１カードの逆挿入を防止することができる。
また、スライド部材には、第１、または第２カードの挿入方向と直交する方向に長孔状のスライド溝が貫通形成され、ストッパ部材の裏面には、スライド溝に嵌合してスライド溝に沿ってスライド可能な位置決めピンが形成されているので、ストッパ部材を確実にスライド溝に沿ってスライドさせることができる。
【００１２】
また、アーム部材には、ストッパ部材を支持する一方側に長孔状の連結孔が形成されると共に、他方側の回動支持部がスライド部材に支持され、回動支持部を支点としてアーム部材が回動することでストッパ部材が直交する方向にスライド可能になっているので、アーム部材の回動に伴ってストッパ部材を直行する方向に確実にスライドさせることができる。
また、ストッパ部材には、連結孔に嵌合して連結孔に沿ってスライド可能な支持ピンが形成され、スライド部材は、スライド溝にストッパ部材の位置決めピンを嵌合させると共に、ストッパ部材の支持ピンに連結孔を嵌合させているので、スライド部材上にストッパ部材を重ね、ストッパ部材上にアーム部材を重ねることで、スライド部材を組立てることができ、組立性に優れている。
また、スライド部材に支持したアーム部材の回動支持部には、一方側をカード挿入経路側に付勢する捻りコイルバネが配設されているので、ストッパ部材を常にカード挿入経路方向に付勢することができる。
【発明を実施するための最良の形態】
【００１３】
以下に、本発明のカード用コネクタ装置の一実施の形態を図面に基づいて説明する。図１は本発明に係わる第１カードを説明する側面図と平面図であり、図２は本発明に係わる第２カードを説明する側面図と平面図であり、図３、図４は本発明に係わる第１カードの装着動作を説明する平面図であり、図５、図６は本発明に係わる第２カードの装着動作を説明する平面図であり、図７は本発明のカード用コネクタ装置においてスライド部材が初期状態にある時の平面図であり、図８は図７の２−２断面図であり、図７は本発明のカード装置においてスライド部材が動作時の平面図であり、図１０は図９の４−４断面図であり、図１１は本発明に係わるスライド部材及びストッパ部材を説明する図面であり、図１２は本発明に係わるストッパ部材を説明する図面であり、図１３は本発明に係わる検出スイッチの可動接点側を説明する図である。
【００１４】
まず、本発明のカード用コネクタ装置１に装着可能な第１カード２は、図１に示すように、長さ寸法Ｌ２１が長く、幅寸法Ｌ２２が長さ寸法Ｌ２１より小さな図示縦長状に形成されている。
また、第１カード２には、平坦状の前端部２ａを有し、この前端部２ａの図示左コーナ部に傾斜状の切欠き部２ｂが形成され、この切欠き部２ｂ近傍の裏面には、第１カード２の長さ方向に沿って溝部２ｃが形成され、この溝部２ｃに後述するスライド部材７の規制部７ｈが侵入可能になっている。
前記切欠き部２ｂが形成された側の側面の裏面の所定位置には、凹部２ｄが形成されている。また、第１カード２には、図示下端部に平坦状の手前側端部２ｅが形成されていると共に、前端部２ａ寄りの裏面には、信号の送受信に寄与するための複数の接触部（図示せず）が形成されている。このような第１カード２は、手前側端部２ｅ付近を操作者が把持して、本発明のカード用コネクタ装置１に挿入して装着可能になっている。
【００１５】
また、第２カード３は、図２に示すように、例えば長さ寸法Ｌ３１が第１カード２の長さ寸法Ｌ２１より短く形成され、幅寸法Ｌ３２が第１カード２の幅寸法Ｌ２２と同じに形成されている。
また、第２カード３は、前端部３ａ側の幅寸法Ｌ３３が切欠き部３ｂによって、Ｌ３２より幅狭になっており、幅広の幅寸法Ｌ３２の裏面側の左右両側面の所定位置には、凹部３ｃが形成されている。
また、第２カード３には、図示下端部に平坦状の手前側端部３ｄが形成されていると共に、前端部３ａ寄りの裏面には、信号の送受信に寄与するための複数の接触部（図示せず）が形成されている。このような第２カード３は、手前側端部３ｄ付近を操作者が把持して、本発明のカード用コネクタ装置１に挿入して装着可能になっている。  
【００１６】
本発明のカード用コネクタ装置１は、図８の断面図に示すように、樹脂材料からなるハウジング４が配設されている。このハウジング４は、図示下部の装置手前側に第１、第２カード２、３を矢印Ａのカード挿入方向に挿入可能な挿入口４ａが形成され、この挿入口４ａの奥側が、底壁４ｂと奥壁４ｃと側壁４ｄとによって内部が空洞状に形成されて、上部がカバー（図示せず）によって遮蔽されている。
そして、空洞状の部分に、挿入口４ａから挿入した第１、第２カード２、３がスライドするカード挿入経路が形成されている。
また、ハウジング４の空洞内部の奥側には、挿入口４ａから挿入した第１カード２を装着可能な第１カード装着部５が設けられ、この第１カード装着部５には、第１カード２の接触部に接触可能な弾性を有する複数の第１コンタクト端子５ａが、底壁４ｂから空洞内部側に露出して支持されている。
【００１７】
また、第１カード装着部５の図示下方の手前側には、挿入口４ａから挿入した第２カード３を装着可能な第２カード装着部６が設けられ、この第２カード装着部６には、第２カード３の接触部に接触可能な弾性を有する複数の第２コンタクト端子６ａが、底壁４ｂから空洞内部側に露出して支持されている。
また、図７に示すハウジング４の左側側壁４ｃ近傍の底壁４ｂ上には、挿入口４ａから挿入する第１、または第２カード２、３によって、矢印Ａのカード挿入方向にスライド移動可能なスライド部材７が配設されている。
【００１８】
前記スライド部材７には、図１１に示すように、矢印Ａのカード挿入方向に挿入される第１カード２の前端部２ａが当接する略Ｌ字状の当接部７ａと、後述するストッパ部材８が、第１カード２を挿入時に邪魔にならない位置に退避するための退避部７ｂとが形成されている。
また、スライド部材７の退避部７ｂには、矢印Ａのカード挿入方向と直交する方向に長孔状のスライド溝７ｃが貫通形成され、このスライド溝７ｃに後述するストッパ部材８の位置決めピン８ｂがスライド自在に係合可能になっている。
また、図１１Ｃに示すように、スライド部材７には、退避部７ｂの図示上方で前方に、後述する保持部材１５の一部が干渉するのを防止するための溝状の逃げ部７ｄが形成されている。
【００１９】
また、スライド部材７には、後述するコイルバネからなる弾性部材１７を支持するためのバネ支持部７ｅが図示上方側に突出形成されている。前記当接部７ａの裏面には、図１１Ａに示すように、端部に傾斜面が設けられた平坦状の押圧面７ｆが形成され、この押圧面７ｆで後述する保持部材１５を固定接点１６側に押し下げるようになっている。
また、スライド溝７ｃには、外形が略矩形状のストッパ部材８が支持されてスライド溝７ｃに沿ってスライド自在になっている。前記ストッパ部材８には、表面から支持ピン８ａが立設され、図１１Ｄに示す裏面には、スライド溝７ｃに嵌合してスライド溝７ｃに沿ってスライド可能な２本の位置決めピン８ｂが立設されている。また、図１２Ｂに示すストッパ部材８には、図示右方向に突出する凸部８ｃが形成され、この凸部８ｃが、挿入口４ａから挿入される第１カード２に押圧されるようになっている。
【００２０】
また、ストッパ部材８は、スライド部材７に回動自在に支持された細長状のアーム部材９に連結されている。前記アーム部材９は、ストッパ部材８の支持ピン８ａが係合可能な長孔状の連結孔９ａが図１２Ｂに示す上方側の一方側に形成されると共に、図示下方側の他方側の回動支持部９ｂがスライド部材７に支持されて、回動支持部９ｂを支点として回動可能になっている。  
このようなアーム部材９は、図１２Ｃに示すように、回動支持部９ｂが形成された裏面側に捻りコイルバネ１０が支持され、この捻りコイルバネ１０には、一端部１０ａと他端部１０ｂとが自由端状に形成されている。そして、図１１Ｃに示すように、捻りコイルバネ１０は、一端部１０ａがスライド部材７の係止部７ｇに係止され、他端部１０ｂが、図１２Ｃに示すように、アーム部材９の係止溝９ｃに係止されている。
【００２１】
そのために、アーム部材９は、図１１Ｃに示すように、回動支持部９ｂを支点として連結孔９ａ側が常時時計回り方向に弾性付勢されている。そして、連結孔９ａに支持ピン８ａが係合するストッパ部材８は、スライド溝７ｃに沿って図示右方向（矢印Ａのカード挿入方向と直行する方向）に弾性付勢されて、カード挿入前の初期状態のカード挿入経路に位置している。
このようなストッパ部材８は、挿入口４ａから第１カード２を挿入すると、傾斜状の切欠き部２ｂに押圧されて、回動支持部９ｂを支点として反時計回り方向に回動するアーム部材９によって、図示左方向の退避部７ｂ方向にスライドして退避し、第１カード２の挿入に邪魔にならないようになっている。
【００２２】
また、スライド部材７には、挿入される第２カード３が当接した時、ストッパ部材８が矢印Ａのカード挿入方向に動くのを規制するための規制部７ｈが、退避部７ｂの底面から所定高さでストッパ部材８の高さ方向に突出形成されている。
前記第１カード２には、裏面側に規制部７ｈを逃げるための溝部２ｃが形成されているので、挿入口４ａから挿入する第１カード２が規制部７ｈにぶつからないようになっている。
【００２３】
また、図１１Ｃに示すスライド部材７の図示下方の前方側には、所定の深さと幅寸法のカム溝１１が形成され、このカム溝１１は、往路１１ａと、復路１１ｂと、ロック部１１ｃとに枝分かれしたハートカム状に形成され、このカム溝１１に、図７に示すように、針金状の硬質のカムピン１２が係合している。
前記カムピン１２は、図示下方の一端部１２ａがハウジング４側に支持され、図示上方の他端部１２ｂがカム溝１１に係合して、スライド部材７がスライドすることで、カム溝１１内を相対的に摺動するようになっている。
そして、第１、または第２のカード２、３の何れかが挿入口４ａから挿入されるに伴って、スライド部材７が矢印Ａ方向に移動すると、カムピン１２の他端部１２ｂがカム溝１１に沿って相対的に摺動するようになっている。
【００２４】
また、図７に示すように、ハウジング４の図示左側の奥壁４ｃ近傍の底壁４ｂ上には、第１、または第２カード２、３の何れかが挿入口４ａから挿入されるに伴って、奥側にスライドするスライド部材７が操作可能な検出スイッチ１３が配設されている。
前記検出スイッチ１３は、図１３に示すように、捻りコイルバネからなる可動接点１４と、この可動接点１４を保持する保持部材１５と、ハウジング４の底壁４ｂに形成した固定接点１６とで構成されている。
【００２５】
前記可動接点１４は、固定接点１６に電気的に接触して接点を構成する一端部１４ａと他端部１４ｂとが所定長さで延長形成されている。前記一端部１４ａと他端部１４ｂとは、互いに離れる方向に角度αで開脚して、それぞれの端部１４ａ、１４ｂが略Ｌ字状に折り曲げ形成されている。
このような可動接点１４は、巻回部１４ｃが樹脂材料からなる保持部材１５の接点支持部１５ａに係合して抜け止め保持されている。
【００２６】
また、保持部材１５には、スライド移動するスライド部材７の押圧面７ｆが当接して固定接点１６側に移動操作可能な当接部１５ｂが一方の側面１５ｃから突出形成されている。前記可動接点１４は、一方の側面１５ｃから所定寸法沈み込んだ面に形成された接点支持部１５ａに巻回部１４ｃが支持されて、一端部１４ａ、他端部１４ｂは、一方の側面１５ｃから出っ張らないようになっている（図１３Ｂに示す）。  
また、保持部材１５は、図１３Ｃに示すように、一方側である右側下部のコーナ部に回動支持部１５ｄが突出形成され、この回動支持部１５ｄがハウジング４側に支持されて保持部材１５が回動自在になっている。
【００２７】
このような構成の保持部材１５を支持したハウジング４側の底壁４ｂには、図８に示すように、アウトサート成形等で固定接点１６が露出して埋設されている。前記固定接点１６は、可動接点１４の一端部１４ａが常時弾接する第１電極１６ａと、第２電極１６ｂとが所定の隙間を有して互いに絶縁されている。
前記保持部材１５の当接部１５ｂが、スライド部材７の押圧面７ｆに押圧される前の初期状態においては、第１電極１６ａに可動接点１４の一端部１４ａが常時弾接し、他端部１４ｂが第１、第２電極１６ａ、１６ｂ間の底壁４ｂ上に位置して、検出スイッチ１３はＯＦＦとなっている。
【００２８】
そして、保持部材１５が、回動支持部１５ｄを支点として、他方側が固定接点１６側に回動することで、可動接点１４の一端部１４ａと他端部１４ｂが互いに離れる方向に開脚し、他端部１４ｂが底壁４ｂ上を摺動して第２電極１６ｂに当接する。このことにより、第１、第２電極１６ａ、１６ｂが可動接点１４を介して導通して、検出スイッチ１３がＯＮするようになっている。
また、スライド部材７のバネ支持部７ｅには、圧縮コイルバネからなる弾性部材１７が支持されて、スライド部材７を矢印Ｂの排出方向に常時弾性付勢している。
また、スライド部材７には、第２カード３の凹部３ｃに弾性係合可能な仮止め部材１８が配設されており、この仮止め部材１８により、挿入口４ａから挿入された第２カード３が仮止めされるようになっている。
【００２９】
このような構成の本発明のカード用コネクタ装置１に第１カード２を装着する動作を説明すると、まず、図７に示すように、カード挿入前でスライド部材７が初期状態にある時に、挿入口４ａから第１カード２を挿入すると、図３に示すように、第１カード２の傾斜状の切欠き部２ｂがアーム部材９を図示左方向に押圧する。すると、アーム部材９が回動支持部９ｂを支点として反時計回り方向に回動すると共に、ストッパ部材８がスライド溝７ｃに沿ってカード挿入経路から図示左方向に移動して退避部７ｂに位置する。
即ち、第１カード２を第１カード装着部５に装着時のストッパ部材８は、カード挿入経路から外れた退避部７ｂに退避するようになっている。
【００３０】
このことにより、第１カード２の挿入を妨げるものがなくなって、第１カード２の前端部２ａがスライド部材７の当接部７ａに当接する。この状態で、第１カード２を更に押し込むと、当接部７ａを介してスライド部材７がハウジング４の奥側に押し込まれ、第１カード２の複数の接触部（図示せず）が第１コンタクト端子５ａに接触して電気的に接続される。
その後、第１カード２を更に奥側に押し込むことで、奥壁４ｃ側にスライドするスライド部材７の押圧部７ｆにより、保持部材１５の当接部１５ｂが底壁４ｂ方向に押圧される。
このことにより、図１０に示すように、可動接点１４の他端部１４ｂが底壁４ｂ上を摺動して固定接点１６の第２電極１６ｂに接触し、第１、第２電極１６ａ、１６ｂが電気的に導通して、第１カード装着部５に第１カード２が装着されたことが検出される。
【００３１】
また、第１カード２を装着する時のスライド部材７は、挿入口４ａから挿入する第１カード２と共に矢印Ａ方向にスライドすることで、カムピン１２の他端部１２ｂがカム溝１１の往路１１ｂ上を相対的に摺動して、図９に示すように、カム溝１１のロック部１１ｃに係止される。
このことにより、スライド部材７が弾性部材１７の付勢力に抗して抜け止めされ、第１カード２が第１カード装着部５に適正に装着される。
【００３２】
また、第１カード装着部５に装着した第１カード２を排出するには、図４に示す装着状態の第１カード２を再度押し込む動作（プッシュ・プッシュ）で、カムピン１２の他端部１２ｂが、カム溝１１のロック部１１ｃから外れて復路１１ｂ上を相対的に摺動する。このことにより、スライド部材７は、ロックが解除されて、弾性部材１７の付勢力で矢印Ｂの排出方向にスライド移動する。
これに伴って、第１カード２がスライド部材７の当接部７ａを介して矢印Ｂの排出方向に押出される。
そして、外部に押出された手前側端部２ｅを操作者が把持して第１カード２を抜き取ることができる。この第１カードの抜き取りによって、スライド部材７が弾性部材１７の付勢力で図７に示す初期状態に自動復帰する。
【００３３】
また、第２カード３の装着動作は、スライド部材８が初期状態にある時に、挿入口４ａから第２カード３を挿入すると、図５に示すように、第２カード３の左コーナ部側の前端部３ａがストッパ部材８に当接して、ストッパ部材８が矢印Ａのカード挿入方向に押圧されるが、ストッパ部材８は、規制部７ｈに当接して矢印Ａのカード挿入方向への動きが規制されている。
そのために、矢印Ａのカード挿入方向に挿入される第２カード３と共にスライド部材７が奥側にスライドして、第２カード３の複数の接触部（図示せず）が第２コンタクト端子６ａに接触して電気的に接続される。
【００３４】
その後、第２カード３を更に奥側に押し込むことで、奥壁４ｃ側にスライドするスライド部材７の押圧面７ｆにより、保持部材１５の当接部１５ｂが底壁４ｂ方向に押圧される。
このことにより、図１０に示すように、可動接点１４の異端部１４ａと他端部１４ｂとが開脚して底壁４ｂ上を摺動し、他端部１４ｂが固定接点１６の第２電極１６ｂに接触する。そして、第１、第２電極１６ａ、１６ｂが電気的に導通して、図６に示すように、第２カード装着部６な第２カード３が装着されたことが検出される。
【００３５】
即ち、第２カード３の装着時も、第１カード２の装着と同様に、第２カード３の接触部が第２コンタクト端子６ａに接続した後に、検出スイッチ１３がＯＮすることで、第２カード３が装着されたことが検出される。また、第２カード３を装着、および排出する時のスライド部材７、およびカムピン１２の動作は、第１カード２装着時と同じなので、説明を省略する。
【００３６】
このような本発明のカード用コネクタ装置１のストッパ部材８は、スライド部材７に支持されて第１、または第２カード２、３の挿入方向（矢印Ａのカード挿入方向）と直交する方向にスライド可能になっており、第１カード２を第１カード装着部５に装着時のストッパ部材８は、カード挿入経路から外れた退避部７ｂに退避可能になっている。
また、第２カード３を第２カード装着部６に装着時のストッパ部材８は、カード挿入経路に位置して第２カード３の前端部３ａがストッパ部材８に当接して、スライド部材７がハウジング４の奥側に押し込まれるようになっている。
そのために、長さの異なる２種類の第１、第２カード２、３をカード装着部に挿入して装着することができると共に、第２カード３を挿入する時のストッパ部材８のストッパ強度を大きくすることができる。
【００３７】
また、スライド部材７は、スライド溝７ｃにストッパ部材８の位置決めピン８ｄを嵌合させると共に、ストッパ部材８の支持ピン８ａにアーム部材９の連結孔９ａを係合させて組立てられているので、スライド部材７の組立性が良い。
【図面の簡単な説明】
【００３８】
【図１】本発明に係わる第１カードを説明する側面図と平面図である。
【図２】本発明に係わる第２カードを説明する側面図と平面図である。
【図３】本発明に係わる第１カードの装着動作を説明する平面図である。
【図４】本発明に係わる第１カードの装着動作を説明する平面図である。
【図５】本発明に係わる第２カードの装着動作を説明する平面図である。
【図６】本発明に係わる第２カードの装着動作を説明する平面図である。
【図７】本発明のカード用コネクタ装置においてスライド部材が初期状態のある時の平面図である。
【図８】図７の２−２断面図である。
【図９】本発明のカード装置においてスライド部材が動作時の平面図である。
【図１０】図９の４−４断面図である。
【図１１】本発明に係わるスライド部材及びストッパ部材を説明する図面である。
【図１２】本発明に係わるストッパ部材を説明する図面である。
【図１３】本発明に係わる検出スイッチの可動接点側を説明する図である。
【図１４】従来のカード用コネクタ装置への第２カードの装着を説明する平面図である。
【図１５】従来のカード用コネクタ装置への第２カードの装着を説明する平面図である。
【図１６】従来のカード用コネクタ装置への第１カードの装着を説明する平面図である。
【符号の説明】
【００３９】
１  本発明のカード用コネクタ装置
２  第１カード
３  第２カード
４  ハウジング
４ａ  挿入口
４ｂ  底壁
４ｃ  奥壁
４ｄ  側壁
５  第１カード装着部
５ａ  第１コンタクト端子
６  第２カード装着部
６ａ  第２コンタクト端子
７  スライド部材
７ａ  当接部
７ｂ  退避部
７ｃ  スライド溝
７ｄ  逃げ部
７ｅ  バネ支持部
７ｆ  押圧面
７ｇ  係止部
７ｈ  規制部
８  ストッパ部材
８ａ  支持ピン
８ｂ  位置決めピン
９  アーム部材
９ａ  連結孔
９ｂ  回動支持部
１０  捻りコイルバネ
１０ａ  一端部
１０ｂ  他端部
１１  カム溝
１２  カムピン
１３  検出スイッチ
１４  可動接点
１４ａ  一端部
１４ｂ  他端部
１４ｃ  巻回部
１５  保持部材
１５ａ  接点支持部
１５ｂ  当接部
１５ｃ  一方の側面
１６  固定接点
１６ａ  第１電極
１６ｂ  第２電極
１７  弾性部材
１８  仮止め部材
【図１】
0004474355.tif 000002
【図２】
0004474355.tif 000003
【図３】
0004474355.tif 000004
【図４】
0004474355.tif 000005
【図５】
0004474355.tif 000006
【図６】
0004474355.tif 000007
【図７】
0004474355.tif 000008
【図８】
0004474355.tif 000009
【図９】
0004474355.tif 000010
【図１０】
0004474355.tif 000011
【図１１】
0004474355.tif 000012
【図１２】
0004474355.tif 000013
【図１３】
0004474355.tif 000014
【図１４】
0004474355.tif 000015
【図１５】
0004474355.tif 000016
【図１６】
0004474355.tif 000017